【手続補正書】
【提出日】平成17年8月24日(2005.8.24)
【手続補正１】
【補正対象書類名】明細書
【補正対象項目名】全文
【補正方法】変更
【補正の内容】
【書類名】      明細書
【発明の名称】      粘着テープの端部折り曲げ装置
【特許請求の範囲】
【請求項１】
設置した巻き粘着テープを引き出して任意の長さで切断するカッター台１において、テープの引出しの前後方向に可動する切断器４を置き、テープ引出しのはがし位置７と切断位置との途中位置に粘着テープ２の粘着面３が圧着する中間接着部５を置き、その切断器４の接着部６と中間接着部５との片方または両方において、テープの引き出し方向に直角でテープ面に平行な回転軸をもった回転器としたこと、を特徴とする粘着テープの端部折り曲げ装置。
【請求項２】
請求項１において、巻き部から中間接着部５との間に粘着テープ２の押圧ガイド８を設けた事を特徴とする粘着テープの端部折り曲げ装置。
【請求項３】
請求項１の回転器を切断器４の移動と連動する機構で回転させた粘着テープの端部折り曲げ装置。
【請求項４】
請求項１の回転器の接着面を二分割して、片方を固定化したもの。
【請求項５】
請求項１の中間接着部５の回転器における、重力またはバネによるテープ巻き戻し方向への回転戻り機構。
【請求項６】
請求項１の切断器４の接着部６の回転軸が、接着面よりもテープの先側にある構造。
【発明の詳細な説明】
【０００１】
【発明の属する技術分野】
本発明は、片面に粘着剤が着いたテープを貼り付け後に容易に剥がし易くする為粘着テープ端部を折り曲げて粘着面を張り合わせる事に関する。
【０００２】
【従来の技術】
従来に特開平０８−１１３４１５のように端部を折り曲げる出願はあるが、テープの巻き状からテープを引き離す時テープの粘着剤の反対側に生じる強い屈折癖で、粘着面側に折り曲げる事は非常に不安定であった。
【０００３】
【発明が解決しようとする課題】
粘着テープの端部を折り曲げて粘着部を張り合わせる場合今までは粘着面が外側になる曲がり癖があったが、その逆の粘着面が内側になる曲面を作るようにしなければならない。
【０００４】
【課題解決するための手段】
上記の目的を達するために、切断した後、テープの端を粘着した部分を、テープ途中を粘着した部分に近づけて丸みを形成させ、その際に、粘着部分が（片方または両方）回転して傾くことで、接着面を内側にする丸みを円滑に形成させるものである。
【０００５】
本発明は、粘着テープの圧接する部分をテープの端（切断器の位置）と途中に２ヶ所設け、片方または両方を回転軸をもって傾く回転器とし、切断器をテープの途中側に移動する時、この回転器がテープの曲がりに沿う方向の傾きを為すことにより、円滑にテープが曲面を作る。
【０００６】
【発明の実施の形態】
原理的基本形として、図１に粘着テープ切断機全体の側面を示す。粘着テープを圧接する接着部５，６を２つとも回転器としている。図では、切断器が指で押されてテープ端が丸くなった状態を表す。
【０００７】
図１のテープが丸くなっていく動作順として図４以降で説明する。
【０００８】
図２。切断刃の厚みを接着部６としている。
切断した後で、切断機が中間接着器の方へ移動すると、粘着テープ自身にある剛性で接着部６（回転器６ａ）の外周を押し、接着部６は回転して切断器４側の粘着テープ端は粘着面が内側になるよう湾曲する。
【０００９】
図３。引き出し途中の接着部を回転器とした例。原理は図２と同じ。
【００１０】
図４。図２図３を組み合わせたもので、更に切断器４を押すと図５のようになる。
図５のときの全体像が図１となる。
この後、図１０のつまむ段階になる。
【００１１】
実施する際に、図１に増設することもある補助機構の例を図６，７，８，９，１２，１３，１４に示した。
図６。請求項２の押圧ガイドを設けた例。切断時点では点線の状態だったテープが、切断されて緩むとガイドの押圧で図のように微妙な曲がりを持つようになる。
【００１２】
図７。請求項３。切断器側の回転器を切断器の移動に連動させて回した例。回転器をプーリー兼用とするプーリーベルト方式としている。
ベルト１１の一部を中間接着部５（回転器５ａ）と、接着部６（回転器６ａ）に掛け、更に下方にあるバネ１２に掛けると、粘着テープ２を切断器４で引きながら切断した時は、ベルト１１全体が伸びているが切断器４をはがし位置側に移動するとベルト１１の上部が弛み、他の部に引っ張られるから、プーリーでもある回転器６ａ（接着部６）が回転し、粘着テープを上側に折り曲げるように働く。
【００１３】
図８。請求項３の例の２。
カムがバネで引き下げられて、プーリー兼用の中間接着部５（回転器５ａ）と接着部６（回転器６ａ）に圧接し、切断器４が矢印方向へ移動すると、カムによって両回転器が回り粘着テープを上側に折り曲げるように働く。
【００１４】
図９。請求項３の例の３。
カム１７の短い長穴１８に回転器６ａ（接着部６）に連結したプーリー２１を入れ、一部傾斜の長穴１９に設置台１に固定する支持器２０に入れ、切断器４をはがし位置側に移動すると支持器２０は長穴１９の傾斜部で止まっていて、短い長穴部が上から回転器６ａに接しているからプーリー２１が長穴１８内を移動する分だけ回転して、回転器６ａに接している粘着テープを上方に折り曲げるようにし、その後は回転器６ａの移動で支持器２０が長穴内を移動して粘着テープは図５のように更に折れ曲がる。
【００１５】
図１０は人がつまんでテープの端を引き出す瞬間の形であり、結果図１１のように折り曲げられる。
【００１６】
図１２。請求項４の例。
回転にレバーを付けた。
レバー２６を押すことで回転によって接着部６が上昇してテープ接着面に傾きが生じるが、切断刃１３を固定しておくと、上昇する接着部６と切断刃の二つの部分でテープが付き、テープの曲がり癖をつくることによって、傾きがより強められる。
なおこの図は、請求項６にも該当する。
【００１７】
図１３、図１４。請求項５の例。
テープを切断する直前の動きで、中間接着部５がテープによって押し下げ引っ張られる作用で回転し、切断後に重り３１によって回転して傾きが戻ることで、テープに粘着面が内向きの曲がりぐせをつける。重りでなく、バネでも可。
【００１８】
図１５、１６、１７。請求項６の例。
図１５の状態からテープに刃を押しつけようとする動きで切断器が回転し、図１６の形になってテープを切断し、（バネまたは重りバランスによって）切断器が戻ることで図１７のようにテープに粘着面が内向きの曲がりぐせをつける。
【００１９】
【実施例】
請求項５、６を組み合わせたのが図１８。図１３と図１５の合成である。
テープリール、テープ、中間接着部の回転器上のもの、切断器の回転器上のもの、のみが描かれていて支えフレームは省略してある。
中間接着部の回転器５ａは重り３１で、切断器はバネ（図中にない）で傾きをもどす。
【００２０】
テープに刃を押しつけようとするときの動きで中間接着部５と切断器が回転し、図１８の形になる。
テープを切断した後で切断器が戻ることで、テープに粘着面が内向きの曲がりぐせをつける。
テープをつまみ出そうとして切断器を手で押して、切断器と中間接着部とが接近する。図１９。
このとき、切断器が中間接着部の出っ張り３２を押すことで中間接着部を回転させ、テープの粘着面同士をくっつけてループを閉じる。図２０。
【００２１】
【発明の効果】
テープ端を折りたたむことが失敗なしに行える。
【図面の簡単な説明】
【図１】基本的実施例。接着部５，６が回転体である。
【図２】接着部５だけが回転体のときの動き始めの図。
【図３】接着部６だけが回転体のときの動き始めの図。
【図４】接着部５，６ともが回転体のときの動き始めの図。
【図５】最終状態。
【図６】請求項２の押圧ガイドを設けた例。
【図７】請求項３、４。ベルト＋プーリー（回転式接着部兼用）を持ちいた例。
【図８】請求項３、４の例の２。カム＋プーリー（回転式接着部兼用）を用いた例。
【図９】請求項３、４の例の３。カムプーリーを用いた例。
【図１０】動作の最終形態の全体図。テープのつまみ出しの形。
【図１１】引き出されたテープ端の最終形態。
【図１２】請求項４の例。
【図１３】請求項５の例。切断時点。
【図１４】請求項５の例。切断後の待ち状態。
【図１５】請求項６の例。切断の少し前。
【図１６】請求項６の例。切断直前。
【図１７】請求項６の例。切断後の待ち状態。
【図１８】実施例の要点図。切断直前。
【図１９】実施例の動作。切断器を中間接着部に近づけた途中。
【図２０】実施例の動作。切断器を中間接着部に最も近づけた時。
【符号の説明】
無番号矢印は動きの方向を示す
１カッター台
２粘着テープ
３粘着面
４切断器
５中間接着部
５ａ回転器
６接着部
６ａ回転器
７はがし位置
８ばね
９丸み部
１０押圧ガイド
１１ベルト
１２バネ
１３切断刃
１５カム
１６バネ
１７カム
１８短い長穴
１９一部傾斜の長穴
２０支持器
２１プーリー
２２非粘着面
２３折り曲げ部
２５回転軸
２６押しレバー
３１回転器重り
３２回転器出っ張り
【手続補正２】
【補正対象書類名】図面
【補正対象項目名】図１２
【補正方法】追加
【補正の内容】
【図１２】
2004083275.tif 000001
【手続補正３】
【補正対象書類名】図面
【補正対象項目名】図１３
【補正方法】追加
【補正の内容】
【図１３】
2004083275.tif 000002
【手続補正４】
【補正対象書類名】図面
【補正対象項目名】図１４
【補正方法】追加
【補正の内容】
【図１４】
2004083275.tif 000003
【手続補正５】
【補正対象書類名】図面
【補正対象項目名】図１５
【補正方法】追加
【補正の内容】
【図１５】
2004083275.tif 000004
【手続補正６】
【補正対象書類名】図面
【補正対象項目名】図１６
【補正方法】追加
【補正の内容】
【図１６】
2004083275.tif 000005
【手続補正７】
【補正対象書類名】図面
【補正対象項目名】図１７
【補正方法】追加
【補正の内容】
【図１７】
2004083275.tif 000006
【手続補正８】
【補正対象書類名】図面
【補正対象項目名】図１８
【補正方法】追加
【補正の内容】
【図１８】
2004083275.tif 000007
【手続補正９】
【補正対象書類名】図面
【補正対象項目名】図１９
【補正方法】追加
【補正の内容】
【図１９】
2004083275.tif 000008
【手続補正１０】
【補正対象書類名】図面
【補正対象項目名】図２０
【補正方法】追加
【補正の内容】
【図２０】
2004083275.tif 000009